(57)【要約】【課題】複雑な結束や締付等に十分に適合可能な連結体の提供することができる。【解決手段】本発明に係る連結体（１）は、ベース部材（３）に設けられたフック部材と、少なくとも１個のリング状部材（７）と、被連結体（１０１）を取り付けるための取付構造（９）と、を備えている。リング状部材は、ベース部材に対し揺動自在に設けられ、揺動によって形成される揺動空間内に、フック部材が配されている。ベース部は被連結体に対し、長さ方向に相対移動可能に構成し、同じ構造の連結体を被連結体の両端側に設けてもよい。以上の構成を有する連結体は、複雑な結束や締付等に十分に適合可能である。【選択図】図１
2016011713.tif 000002
【特許請求の範囲】
【請求項１】
ベース部材と、
当該ベース部材に設けられたフック部材と、
当該ベース部材に設けられた少なくとも１個のリング状部材と、
当該ベース部材に設けられた、被連結体を取り付けるための取付構造と、を備え、
当該リング状部材は、当該ベース部材に対し揺動自在に設けられ、
当該リング部材の揺動によって形成される揺動空間内に、当該フック部材が配されている
ことを特徴とする連結体
【請求項２】
前記フック部材は、前記ベース部材に対し揺動自在に設けられている
ことを特徴とする請求項１記載の連結体。
【請求項３】
前記ベース部材は、ベース部材本体と、球状回転体と、を含み、
当該球状回転体は、当該ベース部材本体に形成された球状凹部の中に、その一部を露出させつつ抜け出せない状態で、かつ、相対位置変更可能な状態で受け入れられ、
当該球状回転体の露出部位に前記フック部材の基端部が固定されている
ことを特徴とする請求項２記載の連結体。
【請求項４】
前記取付構造には、紐状又は帯状の被連結体の一端側が取り付けられている
ことを特徴とする請求項１乃至３何れか記載の連結体。
【請求項５】
前記取付構造は、前記被連結体を貫通させるため前記ベース部材に設けられた貫通路と、当該貫通路を貫通させた前記被連結体の一端側に前記基端部が固定された前記フック部材と、を含めて構成され、
前記フック部材は、当該貫通路から前記被連結体を抜け出させない形状に形成され、かつ、前記被連結体の柔軟性を利用して前記ベース部材に対し揺動可能に構成されている
ことを特徴とする請求項４記載の連結体。
【請求項６】
前記取付構造は、前記ベース部材を前記被連結体の長さ方向に相対移動可能に構成されている
ことを特徴とする請求項５記載の連結体
【請求項７】
前記連結体と同じ連結体が、前記被連結体の他端側に取り付けられている
ことを特徴とする請求項４乃至６何れか記載の連結体。
【発明の詳細な説明】
【技術分野】
【０００１】
本発明は、物品や人体の手や足等を結束又は締付、固定、設置等する被連結体（ロープ、結束用のひも、ひも体、帯体、ベルト等を含む。何れも伸縮自在であってもよい。）の連結部位（ここに連結部位とは被連結体の連結端部に限定されず、被連結体の途中における部位を含む概念である。）を連結先に連結するための連結体に関する。
【背景技術】
【０００２】
これまで知られている連結体としてＵ字状のフック、Ｕ字状のフック本体とその開口を開閉するアームからなる開閉フック（特許文献１参照）、Ｃ形状の本体と開閉レバーを備えるカラビナ（特許文献２参照）などがある。また、同じカラビナの中にも、Ｃ字状のカラビナ本体の一端側にロープの位置ずれを防ぐためのロープ止めリングが一体となったものもある（特許文献３参照）。
【先行技術文献】
【特許文献】
【０００３】
【特許文献１】特開２００６−２６４９５３号公報（図１参照）
【特許文献２】特開２０１１−５０６８９号公報（図１参照）
【特許文献３】実開昭６２−１７２４６５号公報（第１図参照）
【発明の概要】
【発明が解決しようとする課題】
【０００４】
しかしながら、先に紹介した連結体は、何れもＵ字状のフック本体やＣ字状のカラビナ本体という、単一機能の部材から構成されているため、その連結先も1か所に限られていた。そもそも被連結体による結束や締付等を行う物品や人体の手足等は、定型的な形状のものではなく凹凸があるのが一般的である。このため、上記の単一機能だけしか持ち合わせていない連結体では、思うような結束や締付等を行うことができない場合が考えられる。
【０００５】
そこで、本発明では、複雑な結束や締付等に十分に適合可能な連結体の提供を目的としている。
【課題を解決するための手段】
【０００６】
上記目的を達成するため本発明は、次の構成を備えている。なお、何れかの請求項記載の発明の説明に当たって行う用語の定義等は、その記載位置や記載准等に関わらず、発明の目的に反しない範囲において、他の請求項記載の発明にも適用があるものとする。
【０００７】
（請求項１記載の発明の特徴）
請求項１記載の発明に係る連結体（以下、適宜「請求項１の連結体」という）は、ベース部材と、当該ベース部材に設けられたフック部材と、当該ベース部材に設けられた少なくとも１個のリング状部材と、当該ベース部材に設けられた、被連結体を取り付けるための取付構造と、を備えている。ここで、当該リング状部材は、当該ベース部材に対し揺動自在に設けられ、当該リング部材の揺動によって形成される揺動空間内に、当該フック部材が配されている。
【０００８】
請求項１の連結体によれば、フック部材とリング部材を選択的に少なくとも一か所の連結先に、もしくは、フック部材とリング部材をそれぞれ少なくとも２カ所の連結先に同時連結することができる。リング部材を揺動させてフック部材とリング部材との間の相対位置を変更することによって、両者を別々の望方向に向けて両者間の干渉を排除することができとともに、両者別々の方向にある連結先への連結を通したバリエーションある連結を可能とする。また、フック部材とリング部材という異なる形態の組み合わせは、連結先の形態に合わせた連結を許容する。以上により、連結体に取付けた被連結体により様々な状態の品物や人の手足などの複雑な形態をもつものを結束や締付等するに当たって、たいへん使い勝手がよい。
【０００９】
（請求項２記載の発明の特徴）
請求項２記載の発明に係る連結体（以下、適宜「請求項２の連結体」という）は、請求項１の連結体を前提とした上で、前記フック部材は、前記ベース部材に対し揺動自在に設けられている。
【００１０】
請求項２の連結体によれば、請求項１の連結体の作用効果に加え、リング部材だけでなくフック部材をもベース部材に対して揺動するので、その揺動分だけ連結先をよりバリエーションに富むものとすることができる。ベース部材に対するフック部材の揺動は、同じくベース部材に設けられているリング部材に対する揺動でもある。フック部材の揺動とリング部材の揺動を適宜組み合わせることによってバリエーションが生まれる。
【００１１】
（請求項３記載の発明の特徴）
請求項３記載の発明に係る連結体（以下、適宜「請求項３の連結体」という）は、請求項２の連結体を前提とした上で、前記ベース部材は、ベース部材本体と、球状回転体と、を含み、当該球状回転体は、当該ベース部材本体に形成された球状凹部の中に、その一部を露出させつつ抜け出せない状態で、かつ、相対位置変更可能な状態で受け入れられ、当該球状回転体の露出部位に前記フック部材の基端部が固定されている。
【００１２】
請求項３の連結体によれば、請求項２の連結体の作用効果に加え、ベース部材に対するフック部材の揺動は、ベース部材本体に対する球状回単体の相対位置変更により実現される。揺動可能範囲は、フック部材が球状凹部の開口縁に制限されない範囲となる。
【００１３】
（請求項４記載の発明の特徴）
請求項４記載の発明に係る連結体（以下、適宜「請求項４の連結体」という）は、請求項１乃至３何れかの連結体を前提とした上で、前記取付構造には、紐状又は帯状の被連結体の一端側が取り付けられている。
【００１４】
請求項４の連結体によれば、請求項１乃至３何れかの連結体の作用効果に加え、連結体を介して被連結体の一端側を連結先に連結したとき、被連結体作用により品物や人の手足等を結束、締付等を行うことができる。
【００１５】
（請求項５記載の発明の特徴）
請求項５記載の発明に係る連結体（以下、適宜「請求項５の連結体」という）は、請求項４の連結体を前提とした上で、前記取付構造は、前記被連結体を貫通させるため前記ベース部材に設けられた貫通路と、当該貫通路を貫通させた前記被連結体の一端側に前記基端部が固定された前記フック部材と、を含めて構成されている。さらに、前記フック部材は、当該貫通路から前記被連結体を抜け出させない形状に形成され、かつ、前記被連結体の柔軟性を利用して前記ベース部材に対し揺動可能に構成されている。
【００１６】
請求項５の連結体によれば、請求項４の連結体の作用効果に加え、被連結体の一端側がベーブ部の貫通路を抜けて反対側に突出し、そこで直接フック部材の基端部が固定されている。また、この貫通した被連結体の一端側は、フック部材が抜け止めとなり、これによって被連結体の抜け止めがなされる。被連結体の柔軟性がベース部材に対するフック部材の揺動を可能としている。
【００１７】
（請求項６記載の発明の特徴）
請求項６記載の発明に係る連結体（以下、適宜「請求項６の連結体」という）は、請求項５の連結体を前提とした上で、前記取付構造は、前記ベース部材を前記被連結体の長さ方向に相対移動可能に構成されている。
【００１８】
請求項６の連結体によれば、請求項４又は５の連結体の作用効果に加え、被連結体の長さ方向へ相対移動させることができる。これによって、ベース部材、すなわち、リング部材を被連結体の任意の場所へ移動させることができる。リング部材の位置が変わることによりフック部材と離れるので、たとえば、リング部材に別の被連結体を連結して別の方向に被連結体をけん引するなど様々な結束や締付等を行うことが可能になる。
【００１９】
（請求項７記載の発明の特徴）
請求項７記載の発明に係る連結体（以下、適宜「請求項７の連結体」という）は、請求項４乃至６何れか連結体を前提とした上で、前記連結体と同じ連結体が、前記被連結体の他端側に取り付けられている。
【００２０】
請求項７の連結体によれば、請求項４乃至６何れかの連結体の作用効果に加え、被連結体の他端側にも上記と同じ連結体が取り付けられることにより、結束や締付等のバリエーションを飛躍的に増やすことができる。
【発明の効果】
【００２１】
本発明によれば、複雑な結束や締付等に十分に適合可能な連結体の提供することができる。
【図面の簡単な説明】
【００２２】
【図１】（ａ）は本実施形態に係る連結体の正面図であり、（ｂ）は本実施形態に係る連結体の右側面図である。
【図２】（ａ）は図１（ａ）の縦断面図であり、（ｂ）は図１（ｂ）の縦断面図である。
【図３】（ａ）は図１（ａ）のフック部材を揺動させた状態を示す正面図であり、（ｂ）は図２（ｂ）のリング部材を揺動させた状態を示す左側面図である。
【図４】本変形例に係る連結体の正面図である。
【図５】本変形例に係る連結体の使用例を示す側面図である。
【図６】本変形例に係る連結体を両端に有する被連結体の正面図である。
【発明を実施するための形態】
【００２３】
各図を参照しながら、本発明を実施するための形態（以下、適宜「本実施形態」という）を説明する。
【００２４】
（取り付け具の概略構成）
図１（ａ）（ｂ）に示すように、連結体１は、ベース部材３と、フック部材５と、リング部材７と、取付構造９と、から概略構成されている。ベース部材３は、連結体１の位置的中心をなす部材であって、フック部材５、リング部材７及び取付構造９は、それぞれベース部材に設けられている。好ましい形態のベース部材３及びリング部材７は、何れもベース部材に対して揺動自在になっている。取付構造９は、ベース部材３から見てフック部材５の反対側に設けると、フック部材５と被連結体１０１が同一直線上に位置するため、使用時における連結体１の傾きを防止するために有効である。なお、リング部材７は、結束や締付等のバリエーションを増やしたいとき、これを複数とすることができる。
【００２５】
（ベース部材の構成）
ベース部材３の外観や材質等に格別の制限はないが、本実施形態では、図１（ａ）（ｂ）及び図２（ａ）（ｂ）に示すように、下半分を水平に切り取ったような半球状であって、全体として成形した合成樹脂によって構成されている。具体的に説明すると、ベース部材３は、内側に位置する半球状のインナードーム１１と、インナードーム１１の外側を薄皮のように密着被覆するアウタードーム１３とから概略構成されている。
【００２６】
ベース部材３の頂部には、アウタードーム１３からインナードーム１１にまたがるほぼ球状の球状凹部１５が上面開口の状態で形成されている。球状凹部１５内には、球状回転体１７がその球面に沿ってベース部材３に対し、ゲーム機に用いられるジョイスティックのように前後左右、回転等の相対位置変更可能な状態で受け入れられている。このとき、球状回転体１７の一部（露出部位１７ａ）は、球状凹部１５から露出している一方、露出部位１７ａの最大径は球状凹部１５の開口の最大径より小さいため、球状回転体１７は球状凹部１５から抜け出せない状態になっている。球状回転体１７の外周面と球状凹部１５の内周面は、上記した相対移動によって摺動することになるが、これを円滑にするため潤滑剤や滑り材を両者間に介在させておくことが好ましい。なお、図２（ｂ）に示す符号７ｈ，７ｈは、後述のようにリング部材７を取り付けるためにアウタードーム１３からインナードーム１１にまたがって形成されたリング取付孔を示している。
【００２７】
（フック部材の構成）
フック部材５は、横向きＣ字状の、いわゆる鈎状の部材であるフック本体５ａと、ほぼ直線状の開閉アーム２３とから外観構成されている。フック本体５ａは、基端部５ｂと開放端５ｃを有し、基端部５ｂの近傍に開閉アーム２３の一端が揺動可能に軸固定されている。この軸固定された開閉アーム２３の他端は、フック本体５ａの開放端５ｃの内側に位置し、その揺動によって基端部５ｂと開放端５ｃの間の開口を開閉するようになっている。
【００２８】
なお、詳細の説明は省略するが、フック本体５ａの基端部５ｂと開閉アーム２３との間には、開閉アーム２３を閉鎖方向に付勢するねじりバネ２５が設けられている。すなわち、平常時の開閉アーム２３の他端はねじりバネ２５の付勢力によってフック本体５ａの開放端５ｃに接触しているが、ロープ等（図１では図示を省略）を通すために外力を加えると、開放端５ｃから離れ、外力を取り去ると付勢力によって平常時の接触位置に弾性復帰するようになっている。なお、開閉アーム２３及びねじりバネ２５は、これらを不要と考えるのであれば、省略することができる。すなわち、開放型のフック部材を用いることができる。
【００２９】
強度が十分であれば材質を問わないが、本実施形態のフック部材５は、全体をステンレスのような金属製とした。使用用途等に応じて合成樹脂製とすることも考えられる。フック部材５の基端部５ｂは、球状回転体１７の露出部位１７ａにネジ固定（図示を省略）などの方法により強固に固定され、これによって、フック部材５は、球状回転体１７と一体に相対位置を変更することができる。すなわち、フック部材５がベース部材３に対して揺動可能になっている（図３（ａ）（ｂ）参照）。
【００３０】
（リング部材の構成）
引き続き、図１乃至３を参照しつつ、リング部材７の構成について説明する。リング部材７は、その材質や形状は不問であるが、本実施形態では鉄製丸棒を屈曲してなる。図示は省略するが、この鉄製丸棒を合成樹脂材で被覆したものであってもよい。
【００３１】
本実施形態におけるリング部材７は、略Ｕ字状のリング本体７ａと、リング本体７ａの両端を短く内側に屈曲させて形成した取付部７ｂ，７ｂと、から構成されている。図１（ａ）に示されるように、リング本体７ａの両端間の距離は、ベース部材３の最大径よりもわずかに大径に形成され、かつ、それぞれ内側に屈曲した取付部７ｂ，７ｂがリング取付孔３ｈ，３ｈに差し込まれた状態で保持されるように形成されている（図２（ｂ）参照）。このようにしてベース部材３に保持されたリング部材７は、図３（ａ）に示すように、ベース部材３に対し揺動可能な状態にあり、かつ、揺動によって形成される揺動空間内にフック部材５が位置するようになっている。
【００３２】
この揺動に関する取付部７ｂ，７ｂとリング取付孔３ｈ，３ｈの関係は、リング部材７が自重のみで揺動するように両者間に遊びを持たせておいてもよいが、両者間に適度な摩擦が生じるようなタイトな関係に設定してもよい。摩擦が生じるようにしておくと、一度揺動させたリング部材７がそのままの状態をベース部材３に対し保持するようになるので、これが連結先に連結させるとき等のために好都合と考える時に有効である。
【００３３】
（取付構造の構成）
図１及び２が示すように、被連結体１０１を取り付けるための取付構造９は、上向きコの字状の部材からなり、インナードーム１１の、フック部材５と反対側にネジ固定（図示を省略）されている。本実施形態の取付構造９は、上記部材によって構成したが、これを合成樹脂製としインナードーム１１と一体に成形してもよいし、インナードーム１１内に断面Ｕ字状に潜り貫通する貫通孔（図示を省略）などによって構成してもよい。
【００３４】
（連結体の組み立て手順）
図１及び２に基づいて、連結体１の組み立て手順例を説明する。まず、球状凹部１５が下向きに開口するようにアウタードーム１３を手で持ち、球状凹部１５の中に球状回転体１７を差し入れる。このとき、フック部材５は、固定されていない。この状態のままで、リング取付孔３ｈ，３ｈの位置に注意しながらインナードーム１１をアウタードーム１３に嵌め入れる。このとき、インナードーム１１が抜け出ないように、たとえばアウタードーム１３の外側から両者間に接着剤を塗布するとよい。これで、ベース部材３が完成する。なお、順番が前後するが、上記接着材を使用する代わりに、たとえば、解除可能な係止構造（図示を省略）をインナードーム１１とアウタードーム１３との間に予め形成しておき、この係止構造の作用によって抜け止めするようにしてもよい。
【００３５】
ベース部材３が完成したところで、ベース部材３に受け入れられた球状回転体１７の露出部位１７ａにフック部材５をネジ固定し、ベース部材３のリング取付孔３ｈ，３ｈにリング部材７の取付部７ｂ，７ｂを挿入固定する。最後に、インナードーム１１に取付構造９の部材を取付ければ、連結体１の組み立てが完了する。なお、上記順番は、組み立てに支障がなければ適宜変更できることは言うまでもない。
【００３６】
（連結体の変形例）
図３及び４を参照しながら、連結体の変形例について説明する。本変形例に係る連結体５１は、ベース部材５３、フック部材５５、リング部材５７及び取付構造５９、そして被連結体１０１から概略構成されており、この構成は、先に説明した連結体１の構成部材と共通する。なお、以下の説明において本実施形態で使用した部材と同じ作用を営む部材については、本変形例でも同じ部材名（部材番号は違うものを使用）を使用する。このため、同じ部材名を付した部材については、重複する範囲でその説明を省略する。
【００３７】
（ベース部材の構成）
図４に示すように、ベース部材５３は、金属製若しくは合成樹脂製の円形の中空パイプを主部材として構成されている。ベース部材５３は、その中心を長さ方向に貫通する円形のリング取付孔５３ａと、ベース部材５３の両端中央を横断貫通する貫通路５３ｂと、が形成されている。貫通路５３ｂには、ひも状の被連結体１０１を貫通させてある。
【００３８】
（リング部材・フック部材の構成）
ベース部材５３のリング取付孔５３ａには、その両端からリング部材５７の取付部５７ｂが、ベース部材５３の周回り方向に揺動（回転）自在となるように差込み固定されている。フック部材５５自体は、フック部材５と同じ構造であるため、その構成の説明は省略する。なお、符号５７ａは、取付部５７ｂとともにリング部材５７を構成するリング本体を示す。
【００３９】
（取付構造の構成）
本変形例に係る取付構造５９は、ベース部材５３に設けられた貫通路５３ｂと、貫通路５３ｂを貫通させた被連結体１０１と、被連結体１０１の一端側にフック本体５５ａの基端部５５ｂが固定されたフック部材５５と、を含めて構成されている。図４からも明らかなように、フック部材５５は、貫通路５３ｂから被連結体１０１を抜け出させない形状（大きさ）に形成されている。すなわち、被連結体１０１は、貫通路５３ｂによって支持され、貫通路５３ｂからはフック部材５５に邪魔されて抜けないように構成されている。なお、ベース部材５３からフック部材５５側に被連結体１０１の一部（突出部位１０１ａ）をわずかに突出させ、この突出部位１０１ａの柔軟性を利用してベース部材５３に対し揺動（首振り）可能に構成されている。なお、被連結体１０１は、長さ方向に伸縮性をもつ部材により構成すると、伸展させた状態で結束したときに弾性復帰力が作用してより強い結束を実現する。
【００４０】
（ベース部材の相対移動）
好ましいベース部材５３は、図４に双方向矢印で示すように、被連結体１０１の長さ方向に相対移動可能に構成されている。つまり、フック部材５５とリング部材５７との間の相対位置を、被連結体１０１の長さの範囲において自由に変更できる。これによって、ベース部材５３、すなわち、ベース部材５３に設けられたリング部材５７を、被連結体１０１の任意の場所へ移動させることができる。リング部材５７の相対位置が変わることによりフック部材５５との間の距離が変わるので、たとえば、リング部材５７に別の被連結体１０３のフック部材を連結して別の方向に被連結体１０１をけん引するなど様々な結束や締付等を行うことが可能になる（図５参照）。なお、長さ方向だけでなく、被連結体１０１の周方向に相対移動できるようにしておくのもよい。結束や締付等のバリエーションをさらに増やすことができるからである。
【００４１】
図６に示すように、被連結体１０１の一端側に取付けられた連結体５１は、被引用体１０１の他端側に、この連結体５１と同じ構造の連結体７１を備えている。両端側それぞれが同じ構造を持った連結体を備えることにより、その上で、両者の連結体５１，７１のリング部材５７，７７が被連結体１０１に対し自由に移動できるようになっていることにより、様々な組み合わせにより結束や締付等のバリエーションを飛躍的に増やすことができる。連結体７１を連結体５１の連結先とすること、または、その逆とすることもできる。
【符号の説明】
【００４２】
１，５１，７１  連結体
３，５３        ベース部材
３ｈ            リング取付孔
５，５５，７５  フック部材
５ａ，５５ａ    フック本体
５ｂ，５５ｂ    基端部
５ｃ            開放端
７，５７，７７  リング部材
７ａ            リング本体
７ｂ            取付部
９，５９        取付構造
１１              インナードーム
１３              アウタードーム
１５              球状凹部
１７              球状回転体
１７ａ            露出部位
１９              支持孔
２１              フック本体
２３              開閉アーム
２５              ねじりバネ
２７              リング本体
２９              取付部
５３ａ            リング取付孔
５３ｂ            貫通路
１０１，１０３      被連結体
１０１ａ            突出部位
【図１】
2016011713.tif 000003
【図２】
2016011713.tif 000004
【図３】
2016011713.tif 000005
【図４】
2016011713.tif 000006
【図５】
2016011713.tif 000007
【図６】
2016011713.tif 000008